(57)【要約】【課題】下端に実部を有する内装板と床板との連結部に配され、該連結部を装飾すると共に、該内装板と該床板とを係止する巾木スターターと、それを用いた施工構造を提供する。【解決手段】平板形状の固定板部と、内装板を支持する支持板部と該内装板の下端の実部に挿入される挿入板部とからなる内装板係止部と、該内装板と床板との連結部を装飾する装飾板部と、該装飾板部の下端から水平方向に突出している突出部とからなる巾木スターター。下端に実部を有する内装板と床板との連結部に、該巾木スターターを施工した施工構造であって、該固定板部の裏面が壁下地面に接した状態で釘又はビスにより固定されており、該支持板部が該内装板を支持すると共に、該挿入板部が該内装板の下端の実部に挿入して該内装板を固定しており、該装飾板部は、該内装板と該床板との連結部を装飾しており、該突出部の裏面が該床板の表面と当接している。【選択図】図６
0003140518.tif 000002
【実用新案登録請求の範囲】
【請求項１】
下端に実部を有する内装板と床板との連結部に配され、該連結部を装飾すると共に、該内装板と該床板とを係止する巾木スターターであって、
上記巾木スターターは、固定板部と、内装板係止部と、装飾板部と、突出部とからなり、
上記固定板部は、上記内装板係止部より上方に設けられ、壁下地面に固定される平板形状の板部であり、
上記内装板係止部は、上記固定板部の下端から水平方向に突出し、上記内装板を支持する支持板部と、該支持板部前方から上方斜めに屈曲し、該内装板の下端の実部に挿入して該内装板を固定する挿入板部とからなり、
上記装飾板部は、上記内装板係止部と上記突出部との間に設けられた、内装板と床板との連結部を装飾する板部であり、
上記突出部は、上記装飾板部の下端から水平方向に突出していること
を特徴とする巾木スターター。
【請求項２】
下端に実部を有する内装板と床板との連結部に配され、該連結部を装飾すると共に、該内装板と該床板とを係止する巾木スターターであって、
上記巾木スターターは、固定板部と、内装板係止部と、装飾板部と、湾曲部とからなり、
上記固定板部は、上記内装板係止部より上方に設けられ、壁下地面に固定される平板形状の板部であり、
上記内装板係止部は、上記固定板部の下端から水平方向に突出し、上記内装板を支持する支持板部と、該支持板部前方から上方斜めに屈曲し、該内装板の下端の実部に挿入して該内装板を固定する挿入板部とからなり、
上記装飾板部は、上記内装板係止部と上記湾曲部との間に設けられた、内装板と床板との連結部を装飾する板部であり、
上記湾曲部は、上記装飾板部の下端から湾曲しており、断面がＲ形状であること
を特徴とする巾木スターター。
【請求項３】
前記巾木スターターは一枚の鋼板からなることを特徴とする請求項１又は２に記載の巾木スターター。
【請求項４】
下端に実部を有する内装板と床板との連結部に、請求項１又は３に記載の巾木スターターを施工した施工構造であって、
前記固定板部には釘又はビスが打ち込まれ、該固定板部の裏面が壁下地面に当接した状態で固定されており、
前記内装板係止部は、前記支持板部が上記内装板を支持すると共に、前記挿入板部が該内装板の下端の実部に挿入して該内装板を固定しており、
前記装飾板部は、前記内装板係止部と前記突出部との間に設けられ、内装板と床板との連結部を装飾しており、
前記突出部は、裏面が上記床板の表面と当接している、又は端部が該床板の表側の側面と対向して突合している
ことを特徴とする内装板と床板との連結部の施工構造。
【請求項５】
下端に実部を有する内装板と床板との連結部に、請求項２又は３に記載の巾木スターターを施工した施工構造であって、
前記固定板部には釘又はビスが打ち込まれ、該固定板部の裏面が壁下地面に当接した状態で固定されており、
前記内装板係止部は、前記支持板部が上記内装板を支持すると共に、前記挿入板部が該内装板の下端の実部に挿入して該内装板を固定しており、
前記装飾板部は、前記内装板係止部と前記湾曲部との間に設けられた、内装板と床板との連結部を装飾しており、
前記湾曲部は、裏面の一部が上記床板の表面と当接している、又は端部が該床板の表側の側面と対向して突合している
ことを特徴とする内装板と床板との連結部の施工構造。
【考案の詳細な説明】
【技術分野】
【０００１】
本考案は、下端に実部を有する内装板と床板との連結部に配され、該連結部を装飾すると共に、該内装板と該床板とを係止する巾木スターターと、それを用いた施工構造に関するものである。
【背景技術】
【０００２】
従来より、内装板と床板との連結部に巾木を配して、該内装板の下端を保護すると共に、該連結部を装飾する施工構造が行われている。
上記巾木としては、長方形状の細長い横板が一般的に用いられている。
【０００３】
また、実開昭６１−５３４３９号公報に示すように、巾木に内装板の下端前面を覆う覆い片を設けるとともに、該内装板の下端面の一部に当接して該内装板を支持する支持片を設けた巾木、及び該巾木を用いて該内装板の下端面の下部に水の伝い込みを阻止する空所を構成する施工構造がある。
【０００４】
更に、特開２０００−２６５６５８号公報に示すように、上端縁を等幅で壁面と平行に折曲した壁固定部と、該壁固定部に連続して等幅で壁面に垂直に折曲した水平部と、下端縁を等幅で床面と平行に折曲した床固定部と、該床固定部に連続して等幅で床面に垂直に折曲した垂直部と、前記壁面、前記隅部、前記床面に間隙を隔てて沿う凹状の湾曲板部を有し上端が前記水平部に連続するとともに下端が前記垂直部に連続する幅木本体とからなることを特徴とする巾木と、それを用いた施工構造もある。
【特許文献１】実開昭６１−５３４３９号公報
【特許文献２】特開２０００−２６５６５８号公報
【考案の開示】
【考案が解決しようとする課題】
【０００５】
しかし、近年、内装板として木片セメント板や繊維補強セメント板等の窯業板も使用されている。
上記窯業板は、上下、及び／又は左右に配される別の窯業板と接合させるため、及び、該窯業板を固定するために、端部に実部を有する。具体的には、複数の窯業板を上下に配して内壁を構成するために、該窯業板の上端には、表面側から一部切り欠いて形成された下実部と称される実部を、幅方向にわたって備える。一方、上記窯業板の下端には、裏面側から一部切り欠いて形成された上実部と称される実部を、幅方向にわたって備える。そして、窯業板を確実に固定するために、上実部と下実部とに対応した係止部を有すると共に、壁下地面に固定することが可能な留め付け金具が用いられる。該留め付け金具は、壁下地面に固定されるが、該係止部を介して内装板の該上実部と該下実部とは嵌合される。そのため、該上実部の切り欠きは、該下実部の切り欠きよりも大きく形成されている。
窯業板を建物の内壁に施工する際には、ある窯業板の下実部を留め付け金具で係止すると共に、該下実部に別の窯業板の上実部を嵌合させる。その際、該上実部も該留め付け金具で係止させる。これを繰り返すことにより、複数の窯業板が一体化すると共に、確実に固定され、建物の内壁を構成することができる。
【０００６】
しかし、上記実開昭６１−５３４３９号公報に開示された巾木、及び施工構造では、最下段に配される窯業板は下端に上実部を有するので、該窯業板を確実に固定することができない。
【０００７】
また、上記特開２０００−２６５６５８号公報に開示された巾木、及び施工構造でも、最下段に配される窯業板は下端に上実部を有するので、該窯業板を確実に固定することができない。
【０００８】
本考案は、かかる現状に鑑みてなされたものであり、下端に実部を有する内装板と床板との連結部に配され、該連結部を装飾すると共に、該内装板と該床板とを係止する巾木スターターと、それを用いた施工構造を提供することを目的とするものである。
【課題を解決するための手段】
【０００９】
上記課題を解決するために、本請求項１に記載の考案は、下端に実部を有する内装板と床板との連結部に配され、該連結部を装飾すると共に、該内装板と該床板とを係止する巾木スターターであって、上記巾木スターターは、固定板部と、内装板係止部と、装飾板部と、突出部とからなり、上記固定板部は、上記内装板係止部より上方に設けられ、壁下地面に固定される平板形状の板部であり、上記内装板係止部は、上記固定板部の下端から水平方向に突出し、上記内装板を支持する支持板部と、該支持板部前方から上方斜めに屈曲し、該内装板の下端の実部に挿入して該内装板を固定する挿入板部とからなり、上記装飾板部は、上記内装板係止部と上記突出部との間に設けられた、内装板と床板との連結部を装飾する板部であり、上記突出部は、上記装飾板部の下端から水平方向に突出していることを特徴とする巾木スターターである。なお、挿入板部の傾斜角度は、内装板の実部に形成された、金具に係止されるための切り欠きの傾斜角度と同じであることが望ましい。また、支持板部の幅は、内装板の該支持部に係止される部分の幅よりも大きくすることが望ましい。
本考案の巾木スターターは、内装板を支持する支持板部と内装板を固定する挿入板部とからなる内装板係止部を有するので、最下段に配される内装板の下端の実部を確実に固定することができる。
また、固定板部と突出部とを有するので、内装板と床板との連結部に施工した際に、該固定板部に釘、又はビスを打ち込むことと、該突出部を該床板に当接する、又は該突出部の端部を該床板の表側の側面と対向して突合することにより、巾木スターターを確実に固定することができる。
【００１０】
本請求項２に記載の考案は、下端に実部を有する内装板と床板との連結部に配され、該連結部を装飾すると共に、該内装板と該床板とを係止する巾木スターターであって、上記巾木スターターは、固定板部と、内装板係止部と、装飾板部と、湾曲部とからなり、上記固定板部は、上記内装板係止部より上方に設けられ、壁下地面に固定される平板形状の板部であり、上記内装板係止部は、上記固定板部の下端から水平方向に突出し、上記内装板を支持する支持板部と、該支持板部前方から上方斜めに屈曲し、該内装板の下端の実部に挿入して該内装板を固定する挿入板部とからなり、上記装飾板部は、上記内装板係止部と上記湾曲部との間に設けられた、内装板と床板との連結部を装飾する板部であり、上記湾曲部は、上記装飾板部の下端から湾曲しており、断面がＲ形状であることを特徴とする巾木スターターである。なお、挿入板部の傾斜角度は、内装板の実部に形成された、金具に係止されるための切り欠きの傾斜角度と同じであることが望ましい。また、支持板部の幅は、内装板の該支持部に係止される部分の幅よりも大きくすることが望ましい。
本考案の巾木スターターも、内装板を支持する支持板部と内装板を固定する挿入板部とからなる内装板係止部を有するので、最下段に配される内装板の下端の実部を確実に固定することができる。
また、固定板部と湾曲部とを有するので、内装板と床板との連結部に施工した際に、該固定板部に釘、又はビスを打ち込むことと、該湾曲部の裏面の一部を該床板の表面と当接する、又は該湾曲部の端部を該床板の表側の側面と対向して突合することにより、巾木スターターを確実に固定することができる。
【００１１】
本請求項３に記載の考案は、前記巾木スターターは一枚の鋼板からなることを特徴とする請求項１又は２に記載の巾木スターターである。
金属板として、ガルバリウム鋼板、ガルタイト鋼板、アルミ鋼板、ステンレス鋼板、合金めっき鋼板、トタン、銅板などを使用することができる。
請求項１に記載の巾木スターターは非常に簡単な形状であり、１枚の金属板の折曲加工により製造が可能である。そのため、巾木スターターは製造が容易であり、生産効率が良く、製造コストが安い。また、１枚の金属板からできているので、継ぎ目がなく、強度は強い。
【００１２】
本請求項４に記載の考案は、下端に実部を有する内装板と床板との連結部に、請求項１又は３に記載の巾木スターターを施工した施工構造であって、前記固定板部には釘又はビスが打ち込まれ、該固定板部の裏面が壁下地面に当接した状態で固定されており、前記内装板係止部は、前記支持板部が上記内装板を支持すると共に、前記挿入板部が該内装板の下端の実部に挿入して該内装板を固定しており、前記装飾板部は、前記内装板係止部と前記突出部との間に設けられ、内装板と床板との連結部を装飾しており、前記突出部は、裏面が上記床板の表面と当接している、又は端部が該床板の表側の側面と対向して突合していることを特徴とする内装板と床板との連結部の施工構造である。
本考案の施工構造は、内装板を支持する支持板部と内装板を固定する挿入板部とからなる内装板係止部を有する請求項１又は３に記載の巾木スターターを施工しているので、最下段に配される内装板の下端の実部を確実に係止することができる。
また、固定板部には釘又はビスが打ち込まれると共に、突出部の裏面が床板の表面と当接している、又は該突出部の端部が該床板の表側の側面と対向して突合しているので、巾木スターターを確実に固定することができ、それにより、該巾木スターターにより係止される内装板は確実に固定される。
更に、固定板部と内装板係止部は内装板により隠れるため、外観を損なわない。
【００１３】
本請求項５に記載の考案は、下端に実部を有する内装板と床板との連結部に、請求項２又は３に記載の巾木スターターを施工した施工構造であって、前記固定板部には釘又はビスが打ち込まれ、該固定板部の裏面が壁下地面に当接した状態で固定されており、前記内装板係止部は、前記支持板部が上記内装板を支持すると共に、前記挿入板部が該内装板の下端の実部に挿入して該内装板を固定しており、前記装飾板部は、前記内装板係止部と前記湾曲部との間に設けられた、内装板と床板との連結部を装飾しており、前記湾曲部は、裏面の一部が上記床板の表面と当接している、又は端部が該床板の表側の側面と対向して突合していることを特徴とする内装板と床板との連結部の施工構造である。
本考案の施工構造は、内装板を支持する支持板部と内装板を固定する挿入板部とからなる内装板係止部を有する請求項２又は３に記載の巾木スターターを施工しているので、最下段に配される内装板の下端の実部を確実に係止することができる。
また、固定板部には釘又はビスが打ち込まれると共に、湾曲部の裏面の一部が床板の表面と当接している、又は該湾曲部の端部が該床板の表側の側面と対向して突合しているので、巾木スターターを確実に固定することができ、それにより、該巾木スターターにより係止される内装板は確実に固定される。
更に、固定板部と内装板係止部は内装板により隠れるため、外観を損なわない。
【考案の効果】
【００１４】
本考案によれば、最下段に配される、下端に実部を有する内装板を長期に渡り確実に固定することができると共に、生産効率が良く、製造コストが安い巾木スターターを提供することができる。
また、本考案によれば、最下段に配される、下端に実部を有する内装板を長期に渡り確実に固定することができると共に、外観が損なわれない内装板と床板との連結部の施工構造を提供することができる。
【考案を実施するための最良の形態】
【００１５】
以下、図面を参照しながら本考案を実施するための最良の形態について詳細に説明する。
【実施例１】
【００１６】
図１は、本考案にかかる巾木スターターＡ１の一実施例の斜視図である。
巾木スターターＡ１は、壁下地面に接した状態で釘又はビスが打ち込まれることにより固定される固定板部１と、内装板を係止する内装板係止部２と、該内装板と床板との連結部を装飾する装飾板部３と、該装飾板部３の下端から水平方向に突出した突出部４aとからなる。更に、内装板係止部２は、固定板部１の下端から水平方向に突出し、内装板を支持する支持板部２１と、支持板部２１から上方斜めに突出し、該内装板の下端の実部に挿入して該内装板を固定する挿入板部２２とからなる。なお、巾木スターターＡ１は、厚さ０．８mmである１枚のガルバリウム鋼板を折曲加工して製造されており、固定板部１の上端で折り返されている。
巾木スターターＡ１は、支持板部２１と挿入板部２２とからなる内装板係止部２を有するので、内装板の下端の実部を確実に固定することが可能である。
また、巾木スターターＡ１は、１枚のガルバリウム鋼板の折曲加工によりなるので、外部から力を受けても変形しにくく、内装板を長期に渡り確実に固定することができると共に、製造が容易であり、生産効率が良く、製造コストが安い。
【００１７】
図２は、本考案にかかる別の巾木スターターＡ２の一実施例の斜視図である。
巾木スターターＡ２は、１枚のガルバリウム鋼板を固定板部１と装飾板部３の境界で折り返し、内装板係止部２を形成している以外は、図１に記載の巾木スターターＡ１と同じである。
よって、巾木スターターＡ２も、巾木スターターＡ１と同様の効果を得ることができる。
【００１８】
図３は、本考案にかかる更に別の巾木スターターＡ３の一実施例の斜視図である。
巾木スターターＡ３は、突出部４aの代わりに突出部４bからなること、及び固定板部１に釘を打ち込むための先孔６が設けてあること以外は、図１に記載の巾木スターターＡ１と同じである。突出部４bは、装飾板部３の下端から水平方向に突出しているが、装飾板部３との連結部分はＲ形状である。
よって、巾木スターターＡ３も、巾木スターターＡ１と同様の効果を得ることができると共に、突出部４bと装飾板部３との連結部分はＲ形状であるので、該連結部分に埃等が溜まりにくい。
また、巾木スターターＡ３は、固定板部１に釘を打ち込むための先孔６を有するので、釘を打ち込みやすい。
【００１９】
図４は、本考案にかかる更に別の巾木スターターＡ４の一実施例の斜視図である。
巾木スターターＡ４は、突出部４aの代わりに突出部４cからなること以外は、図１に記載の巾木スターターＡ１と同じである。突出部４cは、装飾板部３の下端から水平方向に突出しているが、装飾板部３との連結部分から突出部４cの先端にかけてＲ形状であることが突出部４aと異なる。
よって、巾木スターターＡ４も、巾木スターターＡ１と同様の効果を得ることができる。また、突出部４cは、装飾板部３との連結部分から突出部４cの先端にかけてＲ形状であるので、該連結部分及び突出部４cには埃等が溜まりにくい。
【００２０】
図５は、本考案にかかる更に別の巾木スターターＡ５の一実施例の斜視図である。
巾木スターターＡ５は、突出部４aの代わりに、装飾板部３の下端から湾曲した、断面がＲ形状の湾曲部５からなること、及び固定板部１に釘を打ち込むための先孔６が設けてあること以外は、図１に記載の巾木スターターＡ１と同じである。
よって、巾木スターターＡ５も、巾木スターターＡ１と同様の効果を得ることができると共に、湾曲部５の断面がＲ形状であるので、湾曲部５に埃等が溜まりにくい。
また、巾木スターターＡ５は、固定板部１に釘を打ち込むための先孔６を有するので、釘を打ち込みやすい。
【００２１】
図６は、図１に示す巾木スターターＡ１を、下端に実部を有する内装板Ｂと床板Ｃとの連結部に施工した、本考案にかかる施工構造の一実施例を示した施工図である。
上記施工構造では、巾木スターターＡ１は、固定板部１の裏面を壁下地面に当接すると共に、突出部４aの裏面が床板Ｃの表面に当接した状態で、固定板部１を通して壁下地面に釘Ｄが打ち込まれることにより固定されている。このように強固に固定された巾木スターターＡ１は、内装板係止部２の支持板部２１が内装板Ｂの下端を支持しており、かつ、内装板係止部２の挿入板部２２が内装板Ｂの下端の実部に挿入されているので、下端に実部を有する内装板Ｂを長期に渡り確実に固定することができる。なお、固定板部１と内装板係止部２は、内装板Ｂに隠れるため、外観を損なわない。また、巾木スターターＡ１の突出部４aの裏面が床板Ｃの表面に当接した状態で固定されているので、床板Ｃも固定することができる。
更に、巾木スターターＡ１は、内装板係止部２と突出部４aとの間に装飾板部３を有するので、内装板Ｂと床板Ｃとの連結部の壁下地面は、装飾板部３により装飾されると共に保護されるので、外観が良く、掃除などの際に壁下地面が損傷しにくい。
【００２２】
図７は、図２に示す巾木スターターＡ２を、下端に実部を有する内装板Ｂと床板Ｃとの連結部に施工した、本考案にかかる別の施工構造の一実施例を示した施工図である。
上記施工構造では、ガルバリウム鋼板の折曲加工位置だけが巾木スターターＡ１と異なる巾木スターターＡ２を、図６に示す施工構造と同様に施工しているので、上述した図６に示す施工構造の特徴を有しており、上述した図６に示す施工構造の効果を得ることができる。
【００２３】
図８は、図３に示す巾木スターターＡ３を、下端に実部を有する内装板Ｂと床板Ｃとの連結部に施工した、本考案にかかる更に別の施工構造の一実施例を示した施工図である。
上記施工構造では、突出部４aの代わりに突出部４bからなること、及び固定板部１に釘を打ち込むための先孔６が設けてあること以外は巾木スターターＡ１と同じである巾木スターターＡ３を、突出部４bの端部が、床板Ｃの表側の側面と対向して突合している状態で、固定板部１を通して壁下地面に釘Ｄが打ち込まれることにより固定されていること以外は図６に示す施工構造と同様に施工している。
すなわち、巾木スターターＡ３は、固定板部１の裏面を壁下地面に当接すると共に、突出部４bの端部が床板Ｃの表側の側面と対向して突合している状態で、固定板部１を通して壁下地面に釘Ｄが打ち込まれることにより固定されている。このように強固に固定された巾木スターターＡ３は、内装板係止部２の支持板部２１が内装板Ｂの下端を支持しており、かつ、内装板係止部２の挿入板部２２が内装板Ｂの下端の実部に挿入されているので、下端に実部を有する内装板Ｂを長期に渡り確実に固定することができる。なお、固定板部１と内装板係止部２は、内装板Ｂに隠れるため、外観を損なわない。また、巾木スターターＡ３の突出部４bの端部が、床板Ｃの表側の側面と対向して突合している状態で固定されているので、床板Ｃも固定することができる。
更に、巾木スターターＡ３の突出部４bと装飾板部３との連結部分はＲ形状であり、突出部４bの先端が床板Ｃにより隠れるため、外観を損なわず、かつ、該連結部分と突出部４bとに埃等が溜まりにくい。
【００２４】
図９は、図４に示す巾木スターターＡ４を、下端に実部を有する内装板Ｂと床板Ｃとの連結部に施工した、本考案にかかる更に別の施工構造の一実施例を示した施工図である。
上記施工構造では、突出部４aの代わりに、突出部４cからなること以外は巾木スターターＡ１と同じである巾木スターターＡ４を、図６に示す施工構造と同様に施工しているので、上述した図６に示す施工構造の特徴を有しており、上述した図６に示す施工構造の効果を得ることができる。
更に、突出部４cは、装飾板部３との連結部分から突出部４cの先端にかけてＲ形状であるので、該連結部分及び突出部４cには埃等が溜まりにくいと共に、独特の外観を形成する。
【００２５】
図１０は、図５に示す巾木スターターＡ５を、下端に実部を有する内装板Ｂと床板Ｃとの連結部に施工した、本考案にかかる更に別の施工構造の一実施例を示した施工図である。
上記施工構造は、突出部４aの代わりに、装飾板部３の下端から湾曲した、断面がＲ形状の湾曲部５からなること、及び固定板部１に釘を打ち込むための先孔６が設けてあること以外は巾木スターターＡ１と同じである巾木スターターＡ５を、湾曲部５の端部が床板Ｃの表側の側面と対向して突合している状態で固定されていること以外は、図６に示す施工構造と同様に施工している。
すなわち、巾木スターターＡ５は、固定板部１の裏面を壁下地面に当接すると共に、湾曲部５の端部が床板Ｃの表側の側面と対向して突合している状態で、固定板部１を通して壁下地面に釘Ｄが打ち込まれることにより固定されている。このように強固に固定された巾木スターターＡ５は、内装板係止部２の支持板部２１が内装板Ｂの下端を支持しており、かつ、内装板係止部２の挿入板部２２が内装板Ｂの下端の実部に挿入されているので、下端に実部を有する内装板Ｂを長期に渡り確実に固定することができる。なお、固定板部１と内装板係止部２は、内装板Ｂに隠れるため、外観を損なわない。また、巾木スターターＡ５の湾曲部５の端部が、床板Ｃの表側の側面と対向して突合している状態で固定されているので、床板Ｃも固定することができる。
更に、巾木スターターＡ５の湾曲部５と装飾板部３との連結部分はＲ形状であり、湾曲部５の先端が床板Ｃにより隠れるため、外観を損なわず、かつ、該連結部分と湾曲部５とに埃等が溜まりにくい。
【００２６】
以上、本考案の例を説明したが、本考案は上記の例に限定されるものではない。例えば、図１１に示すように、巾木スターターＡ５を、湾曲部５の裏面の一部を床板Ｃの表面に当接させて、巾木スターターＡ５を図６に示す施工構造と同様に施工させるなど、実用新案登録請求の範囲に記載された考案の範囲にて様々な変更が可能である。
【産業上の利用可能性】
【００２７】
以上説明したように、本考案によれば、最下段に配される、下端に実部を有する内装板を長期に渡り確実に固定することができると共に、生産効率が良く、製造コストが安い巾木スターターを提供することができる。
また、本考案によれば、最下段に配される、下端に実部を有する内装板を長期に渡り確実に固定することができると共に、外観が損なわれない内装板と床板との連結部の施工構造を提供することができる。
【図面の簡単な説明】
【００２８】
【図１】本考案にかかる巾木スターターの一実施例を示す斜視図である
【図２】本考案にかかる別の巾木スターターの一実施例を示す斜視図である。
【図３】本考案にかかる更に別の巾木スターターの一実施例を示す斜視図である。
【図４】本考案にかかる更に別の巾木スターターの一実施例を示す斜視図である。
【図５】本考案にかかる更に別の巾木スターターの一実施例を示す斜視図である。
【図６】図１に示す巾木スターターを、下端に実部を有する内装板と床板との連結部に施工した、本考案にかかる施工構造の一実施例を示した施工図である。
【図７】図２に示す巾木スターターを、下端に実部を有する内装板と床板との連結部に施工した、本考案にかかる別の施工構造の一実施例を示した施工図である。
【図８】図３に示す巾木スターターを、下端に実部を有する内装板と床板との連結部に施工した、本考案にかかる更に別の施工構造の一実施例を示した施工図である。
【図９】図４に示す巾木スターターを、下端に実部を有する内装板と床板との連結部に施工した、本考案にかかる更に別の施工構造の一実施例を示した施工図である。
【図１０】図５に示す巾木スターターを、下端に実部を有する内装板と床板との連結部に施工した、本考案にかかる更に別の施工構造の一実施例を示した施工図である。
【図１１】図５に示す巾木スターターを、下端に実部を有する内装板と床板との連結部に施工した、本考案にかかる更に別の施工構造の一実施例を示した施工図である。
【符号の説明】
【００２９】
Ａ１〜Ａ５  巾木スターター
Ｂ          内装板
Ｃ          床板
Ｄ          釘
１          固定板部
２          内装板係止部
３          装飾板部
４a〜４c    突出部
５          湾曲部
６          先孔
２１        支持板部
２２        挿入板部
【図１】
0003140518.tif 000003
【図２】
0003140518.tif 000004
【図３】
0003140518.tif 000005
【図４】
0003140518.tif 000006
【図５】
0003140518.tif 000007
【図６】
0003140518.tif 000008
【図７】
0003140518.tif 000009
【図８】
0003140518.tif 000010
【図９】
0003140518.tif 000011
【図１０】
0003140518.tif 000012
【図１１】
0003140518.tif 000013